(57)【特許請求の範囲】
【請求項１】
ユーザに提示される説明文または注意文からなるメッセージを表示画面に表示するように制御する表示制御装置において、
表示制御手段と、
少なくとも、上記メッセージと、上記メッセージの表示時間および表示回数とを記憶する記憶手段と、
上記表示制御装置の電源オフ状態の継続時間と、電源オンの回数とを計測する計測手段と
を有し、
上記電源オンの回数が上記表示回数以下のときに、上記表示制御手段により、上記表示画面に上記メッセージを上記表示時間表示し、
上記電源オフ状態の上記継続時間が所定時間以上のときに、上記表示制御手段により、上記表示画面に上記メッセージを上記表示時間表示すると共に、上記電源オンの回数を所定の整数値に再設定する
表示制御装置。
【請求項２】
上記所定の整数値が１である
請求項１に記載の表示制御装置。
【請求項３】
上記電源オンの回数が上記表示回数を超え、かつ上記電源オフ状態の上記継続時間が所定時間未満のときには、上記表示画面に上記メッセージを表示しない
請求項１に記載の表示制御装置。
【請求項４】
少なくとも、ユーザに提示される説明文または注意文からなるメッセージと、上記メッセージの表示時間および表示回数とを記憶する記憶ステップと、
表示制御装置の電源オフ状態の継続時間と、電源オンの回数とを計測する計測ステップと、
上記電源オンの回数が上記表示回数以下のときに、表示画面に上記メッセージを上記表示時間表示し、上記電源オフ状態の上記継続時間が所定時間以上のときに、表示画面に上記メッセージを上記表示時間表示すると共に、上記電源オンの回数を所定の整数値に再設定する表示ステップと
を有する表示制御方法。
【発明の詳細な説明】
【０００１】
【発明の属する技術分野】
この発明は、ディスプレイ装置に関し、特に、オンスクリーンディスプレイ（On Screen Display 、ＯＳＤ）機能を有するディスプレイ装置に適用して好適なものである。
【０００２】
【従来の技術】
従来、ＯＳＤは、ディスプレイ装置の電源オン時に入力端子の接続表示などがあった。また、従来、ディスプレイ装置において、製造元からユーザに提示する注意文や説明文（以下、メッセージ）は、取り扱い説明書などの紙面に記載されていたり、メッセージが記載された紙面がディスプレイ装置とともに梱包されていたり、あるいは、図３Ａに示すように、ＣＲＴ１０１の表面に、図３Ｂに示すような、メッセージが記載されたラベル１０２などが張りつけられている。いずれの場合もメッセージは紙面やラベルなどに記載されており、特にラベルは、ディスプレイ装置の使用前に剥がされる。
【０００３】
【発明が解決しようとする課題】
しかしながら、上述のように、製造元からユーザに提示される説明文や注意文などのメッセージが紙やラベルなどに記載されているため、ユーザがその紙やラベルを紛失したり、破棄したりすると、使用上の注意が守られないなどの懸念があった。
【０００４】
したがって、この発明の目的は、製造元のメッセージをユーザに確実に提示することができるディスプレイ装置を提供することにある。
【０００５】
また、この発明の他の目的は、ディスプレイ装置が長時間使用されなかった場合でも、製造元のメッセージを、あらためてユーザに提示することができるディスプレイ装置を提供することにある。
【０００６】
【課題を解決するための手段】
上記目的を達成するために、第１の発明は、ユーザに提示される説明文または注意文からなるメッセージを表示画面に表示するように制御する表示制御装置において、
表示制御手段と、
少なくとも、メッセージと、メッセージの表示時間および表示回数とを記憶する記憶手段と、
表示制御装置の電源オフ状態の継続時間と、電源オンの回数とを計測する計測手段と
を有し、
電源オンの回数が表示回数以下のときに、表示制御手段により、表示画面にメッセージを表示時間表示し、
電源オフ状態の継続時間が所定時間以上のときに、表示制御手段により、表示画面にメッセージを表示時間表示すると共に、電源オンの回数を所定の整数値に再設定する
表示制御装置である。
また、第２の発明は、少なくとも、ユーザに提示される説明文または注意文からなるメッセージと、メッセージの表示時間および表示回数とを記憶する記憶ステップと、
表示制御装置の電源オフ状態の継続時間と、電源オンの回数とを計測する計測ステップと、
電源オンの回数が表示回数以下のときに、表示画面にメッセージを表示時間表示し、電源オフ状態の継続時間が所定時間以上のときに、表示画面にメッセージを表示時間表示すると共に、電源オンの回数を所定の整数値に再設定する表示ステップと
を有する表示制御方法である。
【０００７】
この発明では、電源オフ状態の継続時間が所定時間以上であった場合には、電源オンの回数を１に再設定することが好ましい。また、この発明では、電源オンの回数が表示回数を超え、かつ電源オフ状態の継続時間が所定時間未満のときには、表示手段にメッセージを表示しないようにしている。
【０００８】
上述のように構成されたこの発明によるディスプレイ装置によれば、電源オンのときに、ＯＳＤ回路によってディスプレイにメッセージを設定された表示時間表示していることにより、ディスプレイ装置の使用に際して必要なメッセージをユーザに確実に提示することができる。
【０００９】
【発明の実施の形態】
以下、この発明の一実施形態について図面を参照しながら説明する。図１はこの発明の一実施形態によるディスプレイ装置内のＯＳＤ関連回路の構成を示す。図１に示すように、この一実施形態によるディスプレイ装置は、画像信号を入力する入力部１、プリアンプ２、出力回路３、表示部４、ＯＳＤ回路５、マイクロコンピュータ６によって構成されている。なお、以下の一実施形態においては、この発明を単体のディスプレイ装置に適用した例について説明するが、この発明は、単体のディスプレイ装置に適用されるのみならず、例えば、パーソナルコンピュータとディスプレイ装置とが一体化されたものに適用することも可能である。この場合には、上述のマイクロコンピュータ６としてパーソナルコンピュータ内のメモリ部やＣＰＵを用いてもよい。また、この発明をビデオテープレコーダとディスプレイ装置とが一体化されたものに適用することも可能であり、この場合には、上述のＯＳＤ回路５やマイクロコンピュータ６として、ビデオテープレコーダ内のＯＳＤ回路やマイクロコンピュータを用いるようにしてもよい。
【００１０】
入力部１には画像信号が供給される。例えばアンテナおよびチューナにより受信されたテレビジョン信号は、画像信号ソースの一例である。これ以外に、アナログ衛星放送、ディジタル放送、ディスク、テープなどの媒体を使用した映像信号再生装置、あるいはパーソナルコンピュータなどから画像信号を受けるようにしてもよい。
【００１１】
通常表示モードのときには、入力部１に供給された画像信号がプリアンプ２および出力回路３を順次介して表示部４に供給される。この画像信号によって表示部４のディスプレイに画像が表示される。表示部４としては、例えばＣＲＴ、液晶ディスプレイ（ＬＣＤ）などが用いられる。
【００１２】
マイクロコンピュータ６は、説明文や注意文などの製造元のメッセージ（メッセージデータ）、メッセージの表示を継続する時間のデータ（表示時間データ）、および製造元のメッセージをディスプレイ装置の電源を何回オンするまで表示するかのデータ（表示回数データ）が少なくとも記憶されたメモリ部を有する。メモリ部としては不揮発性メモリが使用される。上述のメッセージデータ、表示時間データ、および表示回数データは製造元が任意に設定でき、マイクロコンピュータ６のメモリ部に記憶される。また、メモリ部には、ディスプレイ装置の電源のオフされていた時間が所定時間以上か否かの基準の時間のデータ（オフ継続時間データ）も記憶されている。
【００１３】
また、マイクロコンピュータ６は、ディスプレイ装置の電源がオンされた回数ＮON、およびディスプレイ装置の電源が継続してオフされている時間ＴOFF をそれぞれ計測するとともに、それらのＮONおよびＴOFF の値をメモリ部に記憶する。
【００１４】
また、表示部４のディスプレイにメッセージを表示するときには、マイクロコンピュータ６は、計測してメモリ部に記憶したデータ（ＮONの値、ＴOFF の値）と、製造元であらかじめ設定されメモリ部に記憶されている表示時間データ、表示回数データ、およびオフ継続時間データとに基づいてＯＳＤ回路５を制御する。これによって、メッセージデータをＯＳＤ回路５を介してプリアンプ２に供給する。プリアンプ２は、入力部１からの入力にＯＳＤ回路５からのメッセージデータをスーパーインポーズする。メッセージデータはプリアンプ２から出力回路３を介して表示部４に供給され、表示される。
【００１５】
表示部４のディスプレイへのメッセージは、マイクロコンピュータ６のメモリ部に記憶されている表示時間表示される。例えば、表示時間が約５秒に設定されているときには、ディスプレイにメッセージが約５秒間表示される。この表示時間が経過すると、マイクロコンピュータ６はＯＳＤ回路５へのメッセージデータの供給を停止する。メッセージの表示が終了すると、ディスプレイ装置は通常表示モードに切り換えられる。
【００１６】
次に、このディスプレイ装置の動作をフローチャートを用いて説明する。図２はこの一実施形態によるフローチャートを示す。
【００１７】
まず、前回ディスプレイ装置の電源のオフされた時刻がメモリ部に記憶されている。ユーザによりディスプレイ装置の電源がオンされる（ステップＳＴ１）と、マイクロコンピュータ６は電源がオンされた時刻を検出し、前回電源がオフされた時刻との差からオフ状態の継続時間（オフ時間ＴOFF ）を計測する（ステップＳＴ２）。ＴOFF の値がメモリ部に記憶される。マイクロコンピュータ６は、ディスプレイ装置の電源がオンされた回数ＮONに１を加算（ステップＳＴ３）し、その値をメモリ部に記憶する。これとともに、入力部１には画像信号が供給され、この画像信号はプリアンプ２に供給される。
【００１８】
次に、ステップＳＴ４において、ディスプレイ装置のＮONの値と、製造元であらかじめ設定され、マイクロコンピュータ６のメモリ部に記憶された表示回数データ（例えば３回）とを比較する。ディスプレイ装置のＮONが表示回数データ（例えば３回）以下のとき、ステップＳＴ７に移る。
【００１９】
ステップＳＴ７においては、マイクロコンピュータ６のメモリ部に製造元であらかじめ記憶されたメッセージデータがＯＳＤ回路５を介して、プリアンプ２に供給される。プリアンプ２は、入力部１からの画像信号にＯＳＤ回路５から供給されたメッセージデータをスーパーインポーズする。メッセージデータは出力回路３を介して表示部４に供給される。これによって、ディスプレイにメッセージが表示される。
【００２０】
他方、ディスプレイ装置のＮONが表示回数データより多いときは、ステップＳＴ５に移る。
【００２１】
ステップＳＴ５においては、計測されたオフ時間ＴOFF と、マイクロコンピュータ６のメモリ部に記憶されているあらかじめ設定されたオフ継続時間データとを比較する。オフ継続時間データが例えば１ヵ月（７２０時間）である場合、オフ時間ＴOFF が１ヵ月（７２０時間）未満のときには、ステップＳＴ８に移り、ディスプレイにメッセージを表示することなく、通常表示モードとなる。他方、オフ時間ＴOFF が１ヵ月（７２０時間）以上のときには、ステップＳＴ６においてＮONを１に戻した後、ステップＳＴ７に移り、表示部４のディスプレイにメッセージを表示する。メッセージは、マイクロコンピュータ６のメモリ部に記憶されている表示時間データの時間（例えば約５秒間）表示される。なお、このメッセージは、その後、ディスプレイ装置の電源オンの回数が、メモリ部に記憶された表示回数データの回数以下のとき、ディスプレイに表示される。
【００２２】
メッセージの表示が終わると、ステップＳＴ８に移り、ディスプレイ装置は通常表示モードに切り換わる。すなわち、入力部１に供給された画像信号がプリアンプ２および出力回路３を順次介して、表示部４に供給されてディスプレイに表示される。
【００２３】
以上説明したように、この一実施形態によれば、ディスプレイ装置の電源のオン時に、ＯＳＤ回路を用いて製造元のメッセージをディスプレイに表示するようにしていることにより、このメッセージをユーザに確実に提示することができる。また、ディスプレイ装置の電源が所定時間以上継続してオフされていた後、再度オンされたときに、ディスプレイに製造元のメッセージを、表示回数データの分電源がオンされるまで、所定の表示時間表示していることにより、ディスプレイ装置が長時間未使用の状態にあった場合でも、メッセージをユーザにあらためて提示することができる。そのため、ユーザへのメッセージの提示をより確実に行うことができる。
【００２４】
以上、この発明の一実施形態について具体的に説明したが、この発明は、上述の一実施形態に限定されるものではなく、この発明の技術的思想に基づく各種の変形が可能である。
【００２５】
例えば、上述の一実施形態において挙げた数値はあくまでも例に過ぎず、必要に応じてこれと異なる数値を用いてもよい。
【００２６】
また、例えば上述の一実施形態においては、オフ時間ＴOFF がオフ継続時間データ以上のときに、オンされた回数ＮONを１に戻し、その後、ディスプレイに再度表示回数データの分メッセージを表示するようにしているが、ＮONを１以外の他の整数値にしてもよい。
【００２７】
【発明の効果】
以上説明したように、この発明によれば、ディスプレイ装置の電源オンのときに、ＯＳＤ回路によって、設定された表示時間、ディスプレイにメッセージを表示していることにより、ディスプレイ装置の使用に際して必要なメッセージをユーザに確実に提示することができる。
【００２８】
また、この発明の他の発明によれば、電源オフ状態の継続時間が所定時間以上、または、電源オフ状態が所定時間継続した後の電源オンの回数が表示回数以下のときに、ＯＳＤ回路によって、ディスプレイにメッセージを表示時間表示していることにより、ディスプレイ装置が長時間使用されなかった場合にも、ディスプレイ装置の使用に際して必要なメッセージを、あらためてユーザに提示することができる。
【図面の簡単な説明】
【図１】この発明の一実施形態によるディスプレイ装置の構成を示すブロック図である。
【図２】この発明の一実施形態によるディスプレイ装置の動作を示すフローチャートである。
【図３】従来のメッセージの提示の方法を説明するための略線図である。
【符号の説明】
１・・・入力部、４・・・表示部、５・・・ＯＳＤ回路、６・・・マイクロコンピュータ
【図１】
0004182572.tif 000002
【図２】
0004182572.tif 000003
【図３】
0004182572.tif 000004